【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
ユーザの一方の耳に装着されて生体の電位を測定する第１生体電位測定装置と、
ユーザの他方の耳に装着されて生体の電位を測定する第２生体電位測定装置と、
生体電位測定結果を端末装置に送信する送信手段と、を含み、
第１生体電位測定装置は、
一方の耳に挿入し表面に接触して電位を検知する第１生体電位測定手段と、
第１生体電位測定手段と繋がって一方の耳の外耳道以外の部分に接触して電位を検知する第２生体電位測定手段と、
を有し、
第２生体電位測定装置は、
他方の耳に挿入し表面に接触して電位を検知する第３生体電位測定手段と、
第３生体電位測定手段と繋がって他方の耳の外耳道以外の部分に接触して電位を検知する第４生体電位測定手段と、
を有する、
生体電位を測定する生体電位測定装置。
【請求項２】
第１生体電位測定装置は、
第１スピーカ部と、
第１スピーカ部を支持する第１支持部材と、
第１支持部材と繋がって一方の耳の外耳道以外の部分に接触する第１接触部と、
を有し、
第１生体電位測定手段は、第１スピーカ部の外周に設けられており、
第２生体電位測定手段は、第１接触部に設けられており、
第２生体電位測定装置は、
第２スピーカ部と、
第２スピーカ部を支持する第２支持部材と、
第２支持部材と繋がって他方の耳の外耳道以外の部分に接触する第２接触部と、
を有し、
第３生体電位測定手段は、第２スピーカ部の外周に設けられており、
第４生体電位測定手段は、第２接触部に設けられている、
請求項１に記載の生体電位測定装置。
【請求項３】
第１生体電位測定装置と第２生体電位測定装置とを接続するケーブルを更に有し、
ケーブルを介して、第１生体電位測定装置と第２生体電位測定装置との間で情報の送受信が行われる、
請求項１又は請求項２に記載の生体電位測定装置。
【請求項４】
第１生体電位測定装置は電池を更に有し、
第１生体電位測定装置は電池から供給された電力によって駆動し、
第２生体電位測定装置は、ケーブルを介して第１生体電位測定装置の電池から第２生体電位測定装置に供給された電力によって駆動する、
請求項３に記載の生体電位測定装置。
【請求項５】
第１生体電位測定手段、第２生体電位測定手段、第３生体電位測定手段、及び、第４生体電位測定手段は、導電性を有する弾性部材によって構成されている、
請求項１から請求項４のいずれか一項に記載の生体電位測定装置。
【請求項６】
第１生体電位測定手段、第２生体電位測定手段、第３生体電位測定手段、及び、第４生体電位測定手段を含む生体電位測定手段群の中の少なくとも２つの生体電位測定手段を用いて生体電位が測定される、
請求項１から請求項５のいずれか一項に記載の生体電位測定装置。
【請求項７】
第１生体電位測定手段、第２生体電位測定手段、第３生体電位測定手段、及び、第４生体電位測定手段を含む生体電位測定手段群の中の少なくとも３つの生体電位測定手段を用いて生体電位が測定される、
請求項１から請求項５のいずれか一項に記載の生体電位測定装置。
【請求項８】
生体電位の測定状況に応じて、第１生体電位測定手段、第２生体電位測定手段、第３生体電位測定手段、及び、第４生体電位測定手段を含む生体電位測定手段群の中の少なくとも２つの生体電位測定手段を用いた第１測定モード、又は、少なくとも３つの生体電位測定手段を用いた第２測定モードのいずれかが選択されて生体電位が測定される、
請求項１から請求項７のいずれか一項に記載の生体電位測定装置。
【請求項９】
生体電位の測定状況に応じて、生体電位測定手段群の中の少なくとも２つの生体電位測定手段を用いた第１測定モード、又は、少なくとも３つの生体電位測定手段を用いた第２測定モードのいずれかが選択されてユーザに提示される、
請求項８に記載の生体電位測定装置。
【請求項１０】
生体電位の測定状況に応じて、第１生体電位測定手段、第２生体電位測定手段、第３生体電位測定手段、及び、第４生体電位測定手段を含む生体電位測定手段群の中の少なくとも３つの生体電位測定手段を用いた第１測定モード又は第２測定モードのいずれかによって生体電位が測定され、
第１測定モードと第２測定モードとでは、組み合わせの異なる複数の生体電位測定手段が用いられる、
請求項１から請求項５のいずれか一項に記載の生体電位測定装置。
【請求項１１】
生体電位の測定状況に応じて、第１測定モード又は第２測定モードのいずれかが選択されてユーザに提示される、
請求項１０に記載の生体電位測定装置。
【請求項１２】
第１測定モードでは、第１生体電位測定手段、第２生体電位測定手段、及び、第３生体電位測定手段が用いられ、
第２測定モードでは、第１生体電位測定手段、第３生体電位測定手段、及び、第４生体電位測定手段が用いられる、
請求項１０又は請求項１１に記載の生体電位測定装置。
【請求項１３】
第１測定モード又は第２測定モードがユーザに提示される、
請求項１２に記載の生体電位測定装置。
【請求項１４】
第１測定モードでは、第１生体電位測定手段、第２生体電位測定手段、及び、第４生体電位測定手段が用いられ、
第２測定モードでは、第１生体電位測定手段、第３生体電位測定手段、及び、第４生体電位測定手段が用いられる、
請求項１０又は請求項１１に記載の生体電位測定装置。
【請求項１５】
第１測定モード又は第２測定モードがユーザに提示される、
請求項１４に記載の生体電位測定装置。
【請求項１６】
第１生体電位測定装置と第２生体電位測定装置のノイズの量に応じて、第１測定モード又は第２測定モードのいずれかが選択されて生体電位が測定される、
請求項１０から請求項１５のいずれか一項に記載の生体電位測定装置。
【請求項１７】
第１生体電位測定装置と第２生体電位測定装置のノイズの量に応じて、第１測定モード又は第２測定モードのいずれかが選択されてユーザに提示される、
請求項１６に記載の生体電位測定装置。
【請求項１８】
ノイズの量が予め定められた閾値未満の場合、第１測定モードが選択され、ノイズの量が閾値以上の場合、第２測定モードが選択される、
請求項１６又は請求項１７に記載の生体電位測定装置。
【請求項１９】
第１生体電位測定装置と第２生体電位測定装置に電力を供給する電池を更に有し、電池の残容量に応じて、第１生体電位測定手段、第２生体電位測定手段、第３生体電位測定手段、及び、第４生体電位測定手段を含む生体電位測定手段群の中の少なくとも２つの脳波測定手段を用いた第１測定モード、又は、少なくとも３つの生体電位測定手段を用いた第２測定モードのいずれかが選択されて生体電位が測定される、
請求項１から請求項９のいずれか一項に記載の生体電位測定装置。
【請求項２０】
電池の残容量に応じて、生体電位測定手段群の中の少なくとも２つの生体電位測定手段を用いた第１測定モード、又は、少なくとも３つの生体電位測定手段を用いた第２測定モードのいずれかが選択されてユーザに提示される、
請求項１９に記載の生体電位測定装置。
【請求項２１】
残容量が予め定められた閾値未満の場合、第１測定モードが選択され、残容量が前記閾値以上の場合、第２測定モードが選択される、
請求項１９又は請求項２０に記載の生体電位測定装置。
【請求項２２】
第１生体電位測定手段、第２生体電位測定手段、第３生体電位測定手段、及び、第４生体電位測定手段を含む生体電位測定手段群の中の少なくとも２つの脳波測定手段を用いた第１測定モード、又は、少なくとも３つの生体電位測定手段を用いた第２測定モードのいずれかが選択されて生体電位が測定され、
第１測定モードでは、生体電位測定手段群の中から選択された１つの生体電位測定手段がセンサ電極として用いられ、１つの生体電位測定手段がグランド電極として用いられ、センサ電極及びグランド電極の検知結果に基づいて生体電位が測定され、
第２測定モードでは、生体電位測定手段群の中から選択された１つの生体電位測定手段がセンサ電極として用いられ、１つの生体電位測定手段がレファレンス電極として用いられ、１つの生体電位測定手段がグランド電極として用いられ、センサ電極、レファレンス電極及びグランド電極の検知結果に基づいて生体電位が測定される、
請求項１から請求項９のいずれか一項に記載の生体電位測定装置。
【請求項２３】
第１測定モード及び第２測定モード共に、生体電位測定手段群の中から選択された１つの生体電位測定手段がセンサ電極として用いられ、１つの生体電位測定手段がレファレンス電極として用いられ、１つの生体電位測定手段がグランド電極として用いられ、センサ電極、レファレンス電極及びグランド電極の検知結果に基づいて生体電位が測定される、
請求項１０から請求項１８のいずれか一項に記載の生体電位測定装置。
【請求項２４】
第１測定モード及び第２測定モード共に、第１生体電位測定手段又は第３生体電位測定手段の一方の手段がセンサ電極又はレファレンス電極の一方の電極として用いられ、他方の手段が他方の電極として用いられ、第２生体電位測定手段及び第４生体電位測定手段がグランド電極として用いられ、センサ電極、レファレンス電極及びグランド電極の検知結果に基づいて生体電位が測定される、
請求項１０又は請求項１１に記載の生体電位測定装置。
【請求項２５】
第１測定モード及び第２検知モード共に、第１生体電位測定手段又は第２生体電位測定手段の一方の手段がセンサ電極又はレファレンス電極の一方の電極として用いられ、他方の手段が他方の電極として用いられ、第３生体電位測定手段及び第４生体電位測定手段がグランド電極として用いられ、センサ電極、レファレンス電極及びグランド電極の検知結果に基づいて生体電位が測定される、
請求項１０又は請求項１１に記載の生体電位測定装置。
【請求項２６】
第１測定モード及び第２検知モード共に、第１生体電位測定手段又は第３生体電位測定手段の一方の手段がセンサ電極又はレファレンス電極として用いられ、他方の手段が他方の電極として用いられ、第２生体電位測定手段及び第４生体電位測定手段以外の生態電位測定手段がグランド電極として用いられ、センサ電極、レファレンス電極及びグランド電極の検知結果に基づいて生体電位が測定される、
請求項１０又は請求項１１に記載の生体電位測定装置。
【請求項２７】
第１測定モード及び第２検知モード共に、第１生体電位測定手段又は第２生体電位測定手段の一方の手段がセンサ電極又はレファレンス電極として用いられ、他方の手段が他方の電極として用いられ、第３生体電位測定手段及び第４生体電位測定手段以外の生態電位測定手段がグランド電極として用いられ、センサ電極、レファレンス電極及びグランド電極の検知結果に基づいて生体電位が測定される、
請求項１０又は請求項１１に記載の生体電位測定装置。
【請求項２８】
送信手段は、電池の充電中、生体電位測定結果の送信を停止する、
請求項１から請求項２７のいずれか一項に記載の生体電位測定装置。
【請求項２９】
送信手段は、電磁波防止部材が装着された場合、電池の充電中であっても、生体電位測定結果を端末装置に送信する、
請求項２８に記載の生体電位測定装置。
【請求項３０】
送信手段は、無線通信によって生体電位測定結果を端末装置に送信する、
請求項１から請求項２９のいずれか一項に記載の生体電位測定装置。
【請求項３１】
第１脳波測定装置又は第２脳波測定装置のいずれか一方の装置に障害が発生した場合、送信手段は、障害が発生していない他方の装置の生体電位測定結果を端末装置に送信する、
請求項１から請求項３０のいずれか一項に記載の生体電位測定装置。
【請求項３２】
送信手段は、電池の充電中、第２生体電位測定装置による生体電位測定結果を端末装置に送信する、
請求項１から請求項３１のいずれか一項に記載の生体電位測定装置。
【請求項３３】
送信手段は、第１生体電位測定装置に設けられた第１送信手段と、第２生体電位測定装置に設けられた第２送信手段と、を有し、
ケーブルに障害が発生した場合、第１送信手段は、第１生体電位測定装置の生体電位測定結果を端末装置に送信し、第２送信手段は、第２生体電位測定装置の生体電位測定結果を端末装置に送信する、
請求項１から請求項３２のいずれか一項に記載の生体電位測定装置。
【請求項３４】
送信手段による送信を制御する送信制御手段を更に有し、
送信手段は、第１生体電位測定装置に設けられた第１送信手段と、第２生体電位測定装置に設けられた第２送信手段と、を有し、
第１送信手段又は第２送信手段のいずれか一方の送信手段に障害が発生した場合、送信制御手段は、障害が発生していない他方の送信手段に生体電位測定結果を端末装置に送信させる、
請求項１から請求項３３のいずれか一項に記載の生体電位測定装置。
【手続補正２】
【補正対象書類名】明細書
【補正対象項目名】発明の名称
【補正方法】変更
【補正の内容】
【発明の名称】生体電位測定装置
【手続補正３】
【補正対象書類名】明細書
【補正対象項目名】０００５
【補正方法】変更
【補正の内容】
【０００５】
請求項１に記載の発明は、ユーザの一方の耳に装着されて生体の電位を測定する第１生体電位測定装置と、ユーザの他方の耳に装着されて生体の電位を測定する第２生体電位測定装置と、生体電位測定結果を端末装置に送信する送信手段と、を含み、第１生体電位測定装置は、一方の耳に挿入し表面に接触して電位を検知する第１生体電位測定手段と、第１生体電位測定手段と繋がって一方の耳の外耳道以外の部分に接触して電位を検知する第２生体電位測定手段と、を有し、第２生体電位測定装置は、他方の耳に挿入し表面に接触して電位を検知する第３生体電位測定手段と、第３生体電位測定手段と繋がって他方の耳の外耳道以外の部分に接触して電位を検知する第４生体電位測定手段と、を有する、生体電位を測定する生体電位測定装置である。
【手続補正４】
【補正対象書類名】明細書
【補正対象項目名】０００６
【補正方法】変更
【補正の内容】
【０００６】
請求項２に記載の発明は、第１生体電位測定装置は、第１スピーカ部と、第１スピーカ部を支持する第１支持部材と、第１支持部材と繋がって一方の耳の外耳道以外の部分に接触する第１接触部と、を有し、第１生体電位測定手段は、第１スピーカ部の外周に設けられており、第２生体電位測定手段は、第１接触部に設けられており、第２生体電位測定装置は、第２スピーカ部と、第２スピーカ部を支持する第２支持部材と、第２支持部材と繋がって他方の耳の外耳道以外の部分に接触する第２接触部と、を有し、第３生体電位測定手段は、第２スピーカ部の外周に設けられており、第４生体電位測定手段は、第２接触部に設けられている、請求項１に記載の生体電位測定装置である。
【手続補正５】
【補正対象書類名】明細書
【補正対象項目名】０００７
【補正方法】変更
【補正の内容】
【０００７】
請求項３に係る発明は、第１生体電位測定装置と第２生体電位測定装置とを接続するケーブルを更に有し、ケーブルを介して、第１生体電位測定装置と第２生体電位測定装置との間で情報の送受信が行われる、請求項１又は請求項２に記載の生体電位測定装置である。
【手続補正６】
【補正対象書類名】明細書
【補正対象項目名】０００８
【補正方法】変更
【補正の内容】
【０００８】
請求項４に係る発明は、第１生体電位測定装置は電池を更に有し、第１生体電位測定装置は電池から供給された電力によって駆動し、第２生体電位測定装置は、ケーブルを介して第１生体電位測定装置の電池から第２生体電位測定装置に供給された電力によって駆動する、請求項３に記載の生体電位測定装置である。
【手続補正７】
【補正対象書類名】明細書
【補正対象項目名】０００９
【補正方法】変更
【補正の内容】
【０００９】
請求項５に係る発明は、第１生体電位測定手段、第２生体電位測定手段、第３生体電位測定手段、及び、第４生体電位測定手段は、導電性を有する弾性部材によって構成されている、請求項１から請求項４のいずれか一項に記載の生体電位測定装置である。
【手続補正８】
【補正対象書類名】明細書
【補正対象項目名】００１０
【補正方法】変更
【補正の内容】
【００１０】
請求項６に係る発明は、第１生体電位測定手段、第２生体電位測定手段、第３生体電位測定手段、及び、第４生体電位測定手段を含む生体電位測定手段群の中の少なくとも２つの生体電位測定手段を用いて生体電位が測定される、請求項１から請求項５のいずれか一項に記載の生体電位測定装置である。
【手続補正９】
【補正対象書類名】明細書
【補正対象項目名】００１１
【補正方法】変更
【補正の内容】
【００１１】
請求項７に係る発明は、第１生体電位測定手段、第２生体電位測定手段、第３生体電位測定手段、及び、第４生体電位測定手段を含む生体電位測定手段群の中の少なくとも３つの生体電位測定手段を用いて生体電位が測定される、請求項１から請求項５のいずれか一項に記載の生体電位測定装置である。
【手続補正１０】
【補正対象書類名】明細書
【補正対象項目名】００１２
【補正方法】変更
【補正の内容】
【００１２】
請求項８に係る発明は、生体電位の測定状況に応じて、第１生体電位測定手段、第２生体電位測定手段、第３生体電位測定手段、及び、第４生体電位測定手段を含む生体電位測定手段群の中の少なくとも２つの生体電位測定手段を用いた第１測定モード、又は、少なくとも３つの生体電位測定手段を用いた第２測定モードのいずれかが選択されて生体電位が測定される、請求項１から７のいずれか一項に記載の生体電位測定装置である。
【手続補正１１】
【補正対象書類名】明細書
【補正対象項目名】００１３
【補正方法】変更
【補正の内容】
【００１３】
請求項９に係る発明は、生体電位の測定状況に応じて、生体電位測定手段群の中の少なくとも２つの生体電位測定手段を用いた第１測定モード、又は、少なくとも３つの生体電位測定手段を用いた第２測定モードのいずれかが選択されてユーザに提示される、請求項８に記載の生体電位測定装置である。
【手続補正１２】
【補正対象書類名】明細書
【補正対象項目名】００１４
【補正方法】変更
【補正の内容】
【００１４】
請求項１０に係る発明は、生体電位の測定状況に応じて、第１生体電位測定手段、第２生体電位測定手段、第３生体電位測定手段、及び、第４生体電位測定手段を含む生体電位測定手段群の中の少なくとも３つの生体電位測定手段を用いた第１測定モード又は第２測定モードのいずれかによって生体電位が測定され、第１測定モードと第２測定モードとでは、組み合わせの異なる複数の生体電位測定手段が用いられる、請求項１から請求項５のいずれか一項に記載の生体電位測定装置である。
【手続補正１３】
【補正対象書類名】明細書
【補正対象項目名】００１５
【補正方法】変更
【補正の内容】
【００１５】
請求項１１に係る発明は、生体電位の測定状況に応じて、第１測定モード又は第２測定モードのいずれかが選択されてユーザに提示される、請求項１０に記載の生体電位測定装置である。
【手続補正１４】
【補正対象書類名】明細書
【補正対象項目名】００１６
【補正方法】変更
【補正の内容】
【００１６】
請求項１２に係る発明は、第１測定モードでは、第１生体電位測定手段、第２生体電位測定手段、及び、第３生体電位測定手段が用いられ、第２測定モードでは、第１生体電位測定手段、第３生体電位測定手段、及び、第４生体電位測定手段が用いられる、請求項１０又は請求項１１に記載の生体電位測定装置である。
【手続補正１５】
【補正対象書類名】明細書
【補正対象項目名】００１７
【補正方法】変更
【補正の内容】
【００１７】
請求項１３に係る発明は、第１測定モード又は第２測定モードがユーザに提示される、
請求項１２に記載の生体電位測定装置である。
【手続補正１６】
【補正対象書類名】明細書
【補正対象項目名】００１８
【補正方法】変更
【補正の内容】
【００１８】
請求項１４に係る発明は、第１測定モードでは、第１生体電位測定手段、第２生体電位測定手段、及び、第４生体電位測定手段が用いられ、第２測定モードでは、第１生体電位測定手段、第３生体電位測定手段、及び、第４生体電位測定手段が用いられる、請求項１０又は請求項１１に記載の生体電位測定装置である。
【手続補正１７】
【補正対象書類名】明細書
【補正対象項目名】００１９
【補正方法】変更
【補正の内容】
【００１９】
請求項１５に係る発明は、第１測定モード又は第２測定モードがユーザに提示される、
請求項１４に記載の生体電位測定装置である。
【手続補正１８】
【補正対象書類名】明細書
【補正対象項目名】００２０
【補正方法】変更
【補正の内容】
【００２０】
請求項１６に係る発明は、第１生体電位測定装置と第２生体電位測定装置のノイズの量に応じて、第１測定モード又は第２測定モードのいずれかが選択されて生体電位が測定される、請求項１０から請求項１５のいずれか一項に記載の生体電位測定装置である。
【手続補正１９】
【補正対象書類名】明細書
【補正対象項目名】００２１
【補正方法】変更
【補正の内容】
【００２１】
請求項１７に係る発明は、第１生体電位測定装置と第２生体電位測定装置のノイズの量に応じて、第１測定モード又は第２測定モードのいずれかが選択されてユーザに提示される、請求項１６に記載の生体電位測定装置である。
【手続補正２０】
【補正対象書類名】明細書
【補正対象項目名】００２２
【補正方法】変更
【補正の内容】
【００２２】
請求項１８に係る発明は、ノイズの量が予め定められた閾値未満の場合、第１測定モードが選択され、ノイズの量が閾値以上の場合、第２測定モードが選択される、請求項１６又は請求項１７に記載の生体電位測定装置である。
【手続補正２１】
【補正対象書類名】明細書
【補正対象項目名】００２３
【補正方法】変更
【補正の内容】
【００２３】
請求項１９に係る発明は、第１生体電位測定装置と第２生体電位測定装置に電力を供給する電池を更に有し、電池の残容量に応じて、第１生体電位測定手段、第２生体電位測定手段、第３生体電位測定手段、及び、第４生体電位測定手段を含む生体電位測定手段群の中の少なくとも２つの脳波測定手段を用いた第１測定モード、又は、少なくとも３つの生体電位測定手段を用いた第２測定モードのいずれかが選択されて生体電位が測定される、請求項１から請求項９のいずれか一項に記載の生体電位測定装置である。
【手続補正２２】
【補正対象書類名】明細書
【補正対象項目名】００２４
【補正方法】変更
【補正の内容】
【００２４】
請求項２０に係る発明は、電池の残容量に応じて、生体電位測定手段群の中の少なくとも２つの生体電位測定手段を用いた第１測定モード、又は、少なくとも３つの生体電位測定手段を用いた第２測定モードのいずれかが選択されてユーザに提示される、請求項１９に記載の生体電位測定装置である。
【手続補正２３】
【補正対象書類名】明細書
【補正対象項目名】００２５
【補正方法】変更
【補正の内容】
【００２５】
請求項２１に係る発明は、残容量が予め定められた閾値未満の場合、第１測定モードが選択され、残容量が前記閾値以上の場合、第２測定モードが選択される、請求項１９又は請求項２０に記載の生体電位測定装置である。
【手続補正２４】
【補正対象書類名】明細書
【補正対象項目名】００２６
【補正方法】変更
【補正の内容】
【００２６】
請求項２２に係る発明は、第１生体電位測定手段、第２生体電位測定手段、第３生体電位測定手段、及び、第４生体電位測定手段を含む生体電位測定手段群の中の少なくとも２つの脳波測定手段を用いた第１測定モード、又は、少なくとも３つの生体電位測定手段を用いた第２測定モードのいずれかが選択されて生体電位が測定され、第１測定モードでは、生体電位測定手段群の中から選択された１つの生体電位測定手段がセンサ電極として用いられ、１つの生体電位測定手段がグランド電極として用いられ、センサ電極及びグランド電極の検知結果に基づいて生体電位が測定され、第２測定モードでは、生体電位測定手段群の中から選択された１つの生体電位測定手段がセンサ電極として用いられ、１つの生体電位測定手段がレファレンス電極として用いられ、１つの生体電位測定手段がグランド電極として用いられ、センサ電極、レファレンス電極及びグランド電極の検知結果に基づいて生体電位が測定される、請求項１から請求項９のいずれか一項に記載の生体電位測定装置である。
【手続補正２５】
【補正対象書類名】明細書
【補正対象項目名】００２７
【補正方法】変更
【補正の内容】
【００２７】
請求項２３に係る発明は、第１測定モード及び第２測定モード共に、生体電位測定手段群の中から選択された１つの生体電位測定手段がセンサ電極として用いられ、１つの生体電位測定手段がレファレンス電極として用いられ、１つの生体電位測定手段がグランド電極として用いられ、センサ電極、レファレンス電極及びグランド電極の検知結果に基づいて生体電位が測定される、請求項１０から請求項１８のいずれか一項に記載の生体電位測定装置である。
【手続補正２６】
【補正対象書類名】明細書
【補正対象項目名】００２８
【補正方法】変更
【補正の内容】
【００２８】
請求項２４に係る発明は、第１測定モード及び第２測定モード共に、第１生体電位測定手段又は第３生体電位測定手段の一方の手段がセンサ電極又はレファレンス電極の一方の電極として用いられ、他方の手段が他方の電極として用いられ、第２生体電位測定手段及び第４生体電位測定手段がグランド電極として用いられ、センサ電極、レファレンス電極及びグランド電極の検知結果に基づいて生体電位が測定される、請求項１０又は請求項１１に記載の生体電位測定装置である。
【手続補正２７】
【補正対象書類名】明細書
【補正対象項目名】００２９
【補正方法】変更
【補正の内容】
【００２９】
請求項２５に係る発明は、第１測定モード及び第２検知モード共に、第１生体電位測定手段又は第２生体電位測定手段の一方の手段がセンサ電極又はレファレンス電極の一方の電極として用いられ、他方の手段が他方の電極として用いられ、第３生体電位測定手段及び第４生体電位測定手段がグランド電極として用いられ、センサ電極、レファレンス電極及びグランド電極の検知結果に基づいて生体電位が測定される、請求項１０又は請求項１１に記載の生体電位測定装置である。
【手続補正２８】
【補正対象書類名】明細書
【補正対象項目名】００３０
【補正方法】変更
【補正の内容】
【００３０】
請求項２６に係る発明は、第１測定モード及び第２検知モード共に、第１生体電位測定手段又は第３生体電位測定手段の一方の手段がセンサ電極又はレファレンス電極として用いられ、他方の手段が他方の電極として用いられ、第２生体電位測定手段及び第４生体電位測定手段以外の生態電位測定手段がグランド電極として用いられ、センサ電極、レファレンス電極及びグランド電極の検知結果に基づいて生体電位が測定される、請求項１０又は請求項１１に記載の生体電位測定装置である。
【手続補正２９】
【補正対象書類名】明細書
【補正対象項目名】００３１
【補正方法】変更
【補正の内容】
【００３１】
請求項２７に係る発明は、第１測定モード及び第２検知モード共に、第１生体電位測定手段又は第２生体電位測定手段の一方の手段がセンサ電極又はレファレンス電極として用いられ、他方の手段が他方の電極として用いられ、第３生体電位測定手段及び第４生体電位測定手段以外の生態電位測定手段がグランド電極として用いられ、センサ電極、レファレンス電極及びグランド電極の検知結果に基づいて生体電位が測定される、請求項１０又は請求項１１に記載の生体電位測定装置である。
【手続補正３０】
【補正対象書類名】明細書
【補正対象項目名】００３２
【補正方法】変更
【補正の内容】
【００３２】
請求項２８に係る発明は、送信手段は、電池の充電中、生体電位測定結果の送信を停止する、請求項１から請求項２７のいずれか一項に記載の生体電位測定装置である。
【手続補正３１】
【補正対象書類名】明細書
【補正対象項目名】００３３
【補正方法】変更
【補正の内容】
【００３３】
請求項２９に係る発明は、送信手段は、電磁波防止部材が装着された場合、電池の充電中であっても、生体電位測定結果を端末装置に送信する、請求項２８に記載の生体電位測定装置である。
【手続補正３２】
【補正対象書類名】明細書
【補正対象項目名】００３４
【補正方法】変更
【補正の内容】
【００３４】
請求項３０に係る発明は、送信手段は、無線通信によって生体電位測定結果を端末装置に送信する、請求項１から請求項２９のいずれか一項に記載の生体電位測定装置である。
【手続補正３３】
【補正対象書類名】明細書
【補正対象項目名】００３５
【補正方法】変更
【補正の内容】
【００３５】
請求項３１に係る発明は、第１脳波測定装置又は第２脳波測定装置のいずれか一方の装置に障害が発生した場合、送信手段は、障害が発生していない他方の装置の生体電位測定結果を端末装置に送信する、請求項１から請求項３０のいずれか一項に記載の生体電位測定装置である。
【手続補正３４】
【補正対象書類名】明細書
【補正対象項目名】００３６
【補正方法】変更
【補正の内容】
【００３６】
請求項３２に係る発明は、送信手段は、電池の充電中、第２生体電位測定装置による生体電位測定結果を端末装置に送信する、請求項１から請求項３１のいずれか一項に記載の生体電位測定装置である。
【手続補正３５】
【補正対象書類名】明細書
【補正対象項目名】００３７
【補正方法】変更
【補正の内容】
【００３７】
請求項３３に係る発明は、送信手段は、第１生体電位測定装置に設けられた第１送信手段と、第２生体電位測定装置に設けられた第２送信手段と、を有し、ケーブルに障害が発生した場合、第１送信手段は、第１生体電位測定装置の生体電位測定結果を端末装置に送信し、第２送信手段は、第２生体電位測定装置の生体電位測定結果を端末装置に送信する、請求項１から請求項３２のいずれか一項に記載の生体電位測定装置である。
【手続補正３６】
【補正対象書類名】明細書
【補正対象項目名】００３８
【補正方法】変更
【補正の内容】
【００３８】
請求項３４に係る発明は、送信手段による送信を制御する送信制御手段を更に有し、送信手段は、第１生体電位測定装置に設けられた第１送信手段と、第２生体電位測定装置に設けられた第２送信手段と、を有し、第１送信手段又は第２送信手段のいずれか一方の送信手段に障害が発生した場合、送信制御手段は、障害が発生していない他方の送信手段に生体電位測定結果を端末装置に送信させる、請求項１から請求項３３のいずれか一項に記載の生体電位測定装置である。
【手続補正３７】
【補正対象書類名】明細書
【補正対象項目名】００３９
【補正方法】削除
【補正の内容】
【手続補正３８】
【補正対象書類名】明細書
【補正対象項目名】００４０
【補正方法】削除
【補正の内容】
【手続補正３９】
【補正対象書類名】明細書
【補正対象項目名】００４１
【補正方法】削除
【補正の内容】
【手続補正４０】
【補正対象書類名】明細書
【補正対象項目名】００４２
【補正方法】削除
【補正の内容】
【手続補正４１】
【補正対象書類名】明細書
【補正対象項目名】００４３
【補正方法】削除
【補正の内容】
【手続補正４２】
【補正対象書類名】明細書
【補正対象項目名】００４４
【補正方法】削除
【補正の内容】
【手続補正４３】
【補正対象書類名】明細書
【補正対象項目名】００４５
【補正方法】削除
【補正の内容】
【手続補正４４】
【補正対象書類名】明細書
【補正対象項目名】００４６
【補正方法】削除
【補正の内容】
【手続補正４５】
【補正対象書類名】明細書
【補正対象項目名】００４７
【補正方法】削除
【補正の内容】
【手続補正４６】
【補正対象書類名】明細書
【補正対象項目名】００４８
【補正方法】削除
【補正の内容】
【手続補正４７】
【補正対象書類名】明細書
【補正対象項目名】００４９
【補正方法】削除
【補正の内容】
【手続補正４８】
【補正対象書類名】明細書
【補正対象項目名】００５０
【補正方法】変更
【補正の内容】
【００５０】
請求項１，３，５に記載の発明によれば、簡易に脳波を測定することが可能となる。
【手続補正４９】
【補正対象書類名】明細書
【補正対象項目名】００５１
【補正方法】変更
【補正の内容】
【００５１】
請求項２に記載の発明によれば、耳に対する密着度を高めて、脳波の測定精度を高めることが可能となる。
請求項４に記載の発明によれば、一方の脳波測定装置は電池を備えていなくても駆動できる。
請求項６，７，１０−１８，２２−２７に記載の発明によれば、１つの脳波測定手段を用いる場合と比べて、脳波測定の精度が向上する。
請求項８に記載の発明によれば、脳波の測定状況に応じた測定モードによって脳波が測定される。
請求項９に記載の発明によれば、脳波の測定状況に応じた情報がユーザに提示される。
請求項１９に記載の発明によれば、電池の残容量に応じた測定モードで脳波が測定される。
請求項２０に記載の発明によれば、電池の残容量に応じた情報がユーザに提示される。
請求項２１に記載の発明によれば、電池の残容量が閾値未満の場合に、電力消費量がより少ない測定モードが選択され、ノイズ量が閾値以上の場合に、より測定精度の高い測定モードが選択される。
請求項２８に記載の発明によれば、充電に起因するノイズの影響を受けた脳波測定結果を端末装置に送信することを防止できる。
請求項２９に記載の発明によれば、充電に起因するノイズの影響を軽減又は防止できる。
請求項３０に記載の発明によれば、有線通信用のケーブルを用いずに済む。
請求項３１に記載の発明によれば、一方の脳波測定装置に障害が発生した場合であっても、脳波の測定を継続できる。
請求項３２に記載の発明によれば、充電中であっても脳波の測定を継続できる。
請求項３３に記載の発明によれば、ケーブルに障害が発生した場合であっても、脳波測定結果を端末装置に送信できる。
請求項３４に記載の発明によれば、一方の送信手段に障害が発生した場合であっても、脳波測定結果を端末装置に送信できる。
【手続補正５０】
【補正対象書類名】明細書
【補正対象項目名】００５２
【補正方法】削除
【補正の内容】
【手続補正５１】
【補正対象書類名】明細書
【補正対象項目名】００５３
【補正方法】削除
【補正の内容】
【手続補正５２】
【補正対象書類名】明細書
【補正対象項目名】００５４
【補正方法】削除
【補正の内容】
【手続補正５３】
【補正対象書類名】明細書
【補正対象項目名】００５５
【補正方法】削除
【補正の内容】
【手続補正５４】
【補正対象書類名】明細書
【補正対象項目名】００５６
【補正方法】削除
【補正の内容】
【手続補正５５】
【補正対象書類名】明細書
【補正対象項目名】００５７
【補正方法】削除
【補正の内容】
【手続補正５６】
【補正対象書類名】明細書
【補正対象項目名】００５８
【補正方法】削除
【補正の内容】
【手続補正５７】
【補正対象書類名】明細書
【補正対象項目名】００５９
【補正方法】削除
【補正の内容】
【手続補正５８】
【補正対象書類名】明細書
【補正対象項目名】００６０
【補正方法】削除
【補正の内容】
【手続補正５９】
【補正対象書類名】明細書
【補正対象項目名】００６１
【補正方法】削除
【補正の内容】
【手続補正６０】
【補正対象書類名】明細書
【補正対象項目名】００６２
【補正方法】削除
【補正の内容】
【手続補正６１】
【補正対象書類名】明細書
【補正対象項目名】００６３
【補正方法】削除
【補正の内容】
【手続補正６２】
【補正対象書類名】明細書
【補正対象項目名】００６４
【補正方法】削除
【補正の内容】
【手続補正６３】
【補正対象書類名】明細書
【補正対象項目名】００６５
【補正方法】削除
【補正の内容】
【手続補正６４】
【補正対象書類名】明細書
【補正対象項目名】００６６
【補正方法】削除
【補正の内容】
【手続補正６５】
【補正対象書類名】明細書
【補正対象項目名】００６７
【補正方法】削除
【補正の内容】
【手続補正６６】
【補正対象書類名】明細書
【補正対象項目名】００６８
【補正方法】削除
【補正の内容】
【手続補正６７】
【補正対象書類名】明細書
【補正対象項目名】００６９
【補正方法】削除
【補正の内容】
【手続補正６８】
【補正対象書類名】明細書
【補正対象項目名】００７０
【補正方法】削除
【補正の内容】
【手続補正６９】
【補正対象書類名】明細書
【補正対象項目名】００７１
【補正方法】削除
【補正の内容】
【手続補正７０】
【補正対象書類名】明細書
【補正対象項目名】００７２
【補正方法】削除
【補正の内容】